(57)【要約】  多分割表示コンテンツ及びそのシステムの作成方法が開示されている。前記多分割表示コンテンツ及びそのシステムの作成方法によれば、ユーザーは専門的な技能や知識なしにＷｅｂで提供されているデータベース（ＤＢ）設計システムやユーザーインターフェースを用いてマルチメディア表示コンテンツを自由に作成・編集することができ、該作成された多分割表示コンテンツ内のデータの部分的な変更、再作成、または表示構成の組み合わせ変更を行うことができるとともに新しい画像形式を表現することができ、前記多分割表示における特定の分割表示でＸＭＬと連携するオリジナルデータがリアルタイムで変更される場合には、前記コンテンツの変更内容に応じて全体画像でＸＭＬと連携する分割表示を自動的に変更することができる。
2010521863.tif 000002
【特許請求の範囲】
【請求項１】
ネットワークとサーバを介して接続される第１ユーザーターミナルと第２ユーザーターミナルとを含む多分割表示コンテンツの実施方法における多分割表示コンテンツの作成方法であって、該作成方法が、前記第１ユーザーターミナルが前記サーバに接続され、ユーザーインターフェースを介して多分割表示構成情報を送信するステップ（ａ）と、前記サーバが前記多分割表示構成情報を受信後に前記多分割表示構成情報を用いて多分割表示設定情報を作成・保管するステップ（ｂ）と、前記第２ユーザーターミナルが前記サーバに接続され、前記多分割表示設定情報に従って前記第２ユーザーターミナルを制御することで前記多分割表示コンテンツを再生する制御モジュールを受信して同モジュールをインストールし、前記サーバから送信される特定コンテンツの多分割表示設定情報を受信して前記多分割表示コンテンツを再生するステップ（ｃ）と、からなることを特徴とする多分割表示コンテンツの実施方法における多分割表示コンテンツの作成方法。
【請求項２】
当該ステップ（ａ）が、多分割表示コンテンツを再生する１つの表示を少なくとも２つの表示に分割し、それによって複数の分割表示を形成するステップ（ａ１）と、各分割表示で表示しようとするコンテンツの保管パス、コンテンツ名及び形式を設定するステップ（ａ２）と、各分割表示で表示しようとするコンテンツの再生時間を設定するステップ（ａ３）と、各分割表示で使用されるプレーヤーを設定するステップ（ａ４）と、を含むことを特徴とする請求項１に記載の方法。
【請求項３】
当該ステップ（ａ）が、各分割表示で再生しようとするコンテンツのうちからメインコンテンツを指定し、前記メインコンテンツの水平垂直比を維持できるように前記ステップ（ａ１）で形成された前記多分割表示の分割比を調整するステップ（ａ５）をさらに含むことを特徴とする請求項２に記載の方法。
【請求項４】
当該ステップ（ａ）が、分割表示で再生しようとする表示構成変換またはコンテンツ変換を再生時間またはユーザーの設定の変更に従って設定するステップ（ａ６）をさらに含むことを特徴とする請求項３に記載の方法。
【請求項５】
当該ステップ（ａ）が、前記ステップ（ａ１）〜（ａ６）を行うことで作成されるかまたは予め保管されている多分割表示構成情報を変更することで作成される少なくとも１つの多分割表示構成情報における日付、日時などのユーザー指定条件に従って特定の多分割表示構成情報を抽出し、それを前記第２ユーザーターミナルに送信するステップ（ａ７）をさらに含むことを特徴とする請求項４に記載の方法。
【請求項６】
当該ステップ（ｃ）には、前記第２ユーザーターミナルを前記サーバに接続し、前記第２ユーザーターミナルを多分割表示設定情報に従って制御し、さらに多分割表示コンテンツを再生するために制御モジュールを受信してインストールするステップ（ｃ１）と、前記第２ユーザーターミナルで前記サーバから多分割表示設定情報を受信するステップ（ｃ２）と、前記制御モジュールの制御に従って前記第２ユーザーターミナルが多分割表示設定情報を翻訳し、前記多分割表示設定情報に従って多分割表示コンテンツを再生する１つの表示を複数の分割表示に分割し、それによって多分割表示を形成し、各分割表示で再生しようとするコンテンツを要求してそれを前記サーバから受信して、その受信したコンテンツを各分割表示で再生するステップ（ｃ３）と、が含まれることを特徴とする請求項１に記載の方法。
【請求項７】
当該ステップ（ｃ３）が、多分割表示を再生する１つの表示を前記多分割表示設定情報に従って分割し、それによって複数の分割表示を形成するステップ（ｃ３．１）と、プレーヤーをロードし、各分割表示で使用されたプレーヤー設定に従って各分割表示にを割り当てるステップ（ｃ３．２）と、保管パスを参照して表示しようとするコンテンツの保管場所に対応するコンテンツデータを要求し、コンテンツ名及び各分割表示で再生しようとするコンテンツの形式を受信するステップ（ｃ３．３）と、前記ステップ（ｃ３．２）で割り当てられたプレーヤーを用いて各分割表示で設定される再生時間に従って前記ステップ（ｃ３．３）から受信する各コンテンツデータを再生するステップ（ｃ３．４）と、多分割表示設定情報に従ったコンテンツの再生時間の有無、ユーザーの設定に従った表示構成変換の有無、または各分割表示で再生しようとするコンテンツ変換設定の有無を判断し、変換設定がある場合、前記変換設定条件の満足度を判断し、表示構成を変換するかまたは再生しようとするコンテンツを変換するステップ（ｃ３．５）と、を含むことを特徴とする請求項６に記載の方法。
【請求項８】
当該ステップ（ｂ）には、多分割表示設定情報が即時コンテンツ表示情報を含み、前記第２ユーザーターミナルの多分割表示コンテンツ再生表示をさらに分割することで即時コンテンツを表示する表示部を一時的に作成できるステップがさらに含まれることを特徴とする請求項１に記載の方法。
【請求項９】
当該多分割表示コンテンツの実施方法におけるステップ（ｃ）に加えて、特定のインターネットアドレスを有する前記第２ユーザーターミナルに送信が要求されるときに前記サーバが即時コンテンツを受信し、前記第２ユーザーターミナルが前記サーバに接続されるかどうかを判断するステップ（ｄ）と、前記第２ユーザーターミナルが接続されると、前記サーバが即時コンテンツを前記第２ユーザーターミナルに送信するステップ（ｅ）と、前記第２ユーザーターミナルが即時コンテンツを受信し、多分割表示コンテンツ再生表示をさらに分割し、前記即時コンテンツを表示する表示部を一時的に作成し、さらにその受信した即時コンテンツを表示するステップ（ｆ）と、がさらに含まれることを特徴とする請求項８に記載の方法。
【請求項１０】
ネットワークとサーバを介して接続される第１ユーザーターミナルと第２ユーザーターミナルとを含む多分割表示コンテンツの実施システムであって、該多分割表示コンテンツの実施システムには、前記サーバに接続され、前記サーバから提供されるユーザーインターフェースを介して多分割表示構成情報を送信し、さらに多分割表示コンテンツの構成が要求される第１ユーザーターミナルと、ユーザーインターフェースが前記第１ユーザーターミナルに設けられ、前記ユーザーインターフェースを介して送信される多分割表示構成情報を受信することで多分割表示設定情報を形成し、データベースを作成し、前記第２ユーザーターミナルの要求に従って前記多分割表示設定情報に基づき前記第２ユーザーターミナルを制御することで前記多分割表示コンテンツを再生する制御モジュールを送信し、さらに前記データベースに保管された特定の多分割表示コンテンツの多分割表示設定情報を抽出して前記第２ユーザーターミナルに送信するサーバと、制御モジュールを前記サーバに要求して受信し、同モジュールをインストールし、前記サーバから送信される特定コンテンツの多分割表示設定情報を受信し、その受信した多分割表示設定情報に従って多分割表示を形成し、各分割表示で再生しようとするコンテンツを要求し、同コンテンツを受信して、その受信したコンテンツを各分割表示で再生する第２ユーザーターミナルと、からなることを特徴とする多分割表示コンテンツの実施システム。
【請求項１１】
当該ユーザーインターフェースに、多分割表示コンテンツをその上に再生するために１つの表示を少なくとも２つの表示に分割することで複数の分割表示を形成する表示構成インターフェースと、各分割表示部で再生されるコンテンツの保管パス、コンテンツ名及び形式を設定するコンテンツ設定インターフェースと、各分割表示で表示しようとするコンテンツの再生時間を設定する再生時間インターフェースと、各分割表示に使用されるプレーヤーを設定するプレーヤー設定インターフェースと、が含まれることを特徴とする請求項１０に記載のシステム。
【請求項１２】
当該ユーザーインターフェースが、各分割表示で表示しようとするコンテンツのうちからメインコンテンツを指定し、前記メインコンテンツの水平垂直比を維持するように多分割表示の分割比を調整するメインコンテンツ指定インターフェースをさらに含むことを特徴とする請求項１１に記載のシステム。
【請求項１３】
当該ユーザーインターフェースが、表示構成を設定するか、または再生時間またはユーザーの設定における変更に従って各分割表示で再生しようとするコンテンツ変換を設定する変換設定インターフェースをさらに含むことを特徴とすることを特徴とする請求項１２に記載のシステム。
【請求項１４】
当該ユーザーインターフェースが、新たに作成されるかまたは予め作成・保管され、前記スケジュールを前記第２ユーザーターミナルに送信する多分割表示構成情報を変更することで作成された少なくとも１つの多分割表示構成情報で日付、日時などのユーザー指定条件に応じて特定の表示上で特定コンテンツを指摘するスケジュールを計画するスケジュール設定インターフェースをさらに含むことを特徴とする請求項１３に記載のシステム。
【請求項１５】
当該制御モジュールには、前記多分割表示設定情報に従って多分割表示コンテンツを再生する１つの表示を分割することで複数の分割表示を形成する表示構成モジュールと、対応するコンテンツデータを、各分割表示で再生しようとするコンテンツの保管パス、コンテンツ名及び形式を参照して再生する前記コンテンツの保管場所に要求して同データを受信する通信制御モジュールと、各分割表示で使用しようとするプレーヤー設定に応じてプレーヤーをロードし、各分割表示に割り当て、さらに前記割り当てられたプレーヤーを用いて各分割表示で設定された再生時間に従って前記通信制御モジュールから出力される各コンテンツデータを再生する再生コントロールモジュールと、多分割表示設定情報に従ってコンテンツの再生時間の有無、ユーザー設定に従って表示構成変換の有無、または各分割表示部で再生される制御変換設定の有無を判断し、変換設定があると、表示構成を変換することができるか、または前記条件変換設定の満足度を判断することで再生しようとするコンテンツを変換する変換制御モジュールと、が含まれることを特徴とする請求項１４に記載のシステム。
【請求項１６】
当該サーバには、前記第２ユーザーターミナルの多分割表示コンテンツ再生表示をさらに分割し、前記即時コンテンツを表示する表示部を一時的に作成する即時コンテンツ表示情報と 多分割表示設定情報を作成し、その送信が特定のインターネットアドレスを有する前記第２ユーザーターミナルに要求されて受信される即時コンテンツと、を含むことを特徴とし、さらに、前記即時コンテンツが前記第２ユーザーターミナルに送信され、当該制御モジュールが、即時コンテンツを前記サーバから受信すると多分割表示コンテンツ再生表示をさらに分割する即時コンテンツ管理モジュールをさらに含み、即時コンテンツを表示する表示部が一時的に作成されて、その受信した即時コンテンツが表示されることを特徴とする請求項１５に記載のシステム。
【発明の詳細な説明】
【技術分野】
【０００１】
本発明は、多分割表示コンテンツ及びそのシステムの作成方法に関し、特に、ネットワークを介してＵＣＣ（ユーザー作成コンテンツ）を含む動画などのマルチメディアコンテンツを共有しようとする通常のユーザーが１つの表示を複数の分割表示に容易に分割することができ、さまざまなマルチメディアコンテンツを各分割表示でそれぞれ表示することができ、それによって各マルチメディアコンテンツをその対応する多分割表示で再生することができる多分割表示コンテンツ及びそのシステムの作成方法に関する。
【背景技術】
【０００２】
電子通信技術が進歩するにつれて、通常のユーザーが他者によって作成されたマルチメディアコンテンツを受動的に受信するのみという従来の傾向から、ユーザー自身が作成または編集した動画及び他の情報を他のユーザーとネットワークを介して分かち合うという新しい傾向に移行している。しかしながら、上記方法（すなわち、１つのコンテンツのみを同コンテンツが再生される１つの表示部に表示するという従来のマルチメディアコンテンツ方法）には、さまざまな需要を実質的に満たし、かつユーザーの要望に叶う表現を提供するという点で問題がある。
【０００３】
上記問題点を克服するために、改善されたコンテンツ作成技術を利用してメインコンテンツを除く追加情報が１つの表示にさらに加えられている。言い換えれば、マルチメディア表示に基づくコンテンツの作成が必要とされた（前記マルチメディア表示とは、互いに独立に駆動される複数の分割表示を用いて１つの表示を形成する方法を意味する）。
【０００４】
複数の分割表示を作成する上記プレーヤーシステムでは、最初に、サーバシステムで予め分割された複数の分割表示が１つのデータ（コンテンツ）として編集され、１つのファイルに保管され、前記保管されたファイルは複数のユーザーターミナルにそれぞれ送信される。第２に、前記サーバシステムは前記複数のデータ（コンテンツ）をその送信前に受信し、そのデータはハードウェア法またはソフトウェア法を用いるリアルタイム符号化作業によって合成され、ユーザーに送信される。第３に、前記複数のデータ（コンテンツ）はネットワークを介してユーザーターミナルに送信され、ハードウェア法またはソフトウェア法を用いてそのデータを復号する専用プログラム（プレーヤー）が前記ユーザーターミナルにインストールされる。上記方法では、複数の分割表示を複数のユーザーターミナルで同時に実施することさえもできる。
【０００５】
しかしながら、上記従来の方法には、コンテンツ供給サービスプロバイダ（サーバ運用サービスプロバイダ、プレーヤーのメーカー及びコンテンツ供給サービスプロバイダまたは同種のもの）が多分割表示コンテンツをその排他的なやり方で作成し、同コンテンツを単一方法のみで提供することから、ユーザーが特定の目的のために複数の分割表示を直接に作成したり、複数の分割表示のコンテンツを設定できるような機能を提供することができないという問題点がある。
【０００６】
加えて、従来のハードウェア装置（例えば、エンコーダまたは同種のもの）が高価な上に、多くの作業者を必要とするので、上記方法では、ユーザーからのさまざまな創造的で異なる需要を満たすことは不可能である。
【発明の概要】
【発明が解決しようとする課題】
【０００７】
そこで、本願発明は上述のような課題を解決するために、ユーザー所望の表示構成を指定し、かつ各表示部に表示されるコンテンツの指定後に再生時間と前記コンテンツの保管パスとを設定することで、多分割表示コンテンツを１つの表示部に同時に表現できる多分割表示コンテンツ及びそのシステムの作成方法を提供することを目的とする。
【課題を解決するための手段】
【０００８】
上記目的を達成するため、ネットワークとサーバを介して接続される第１ユーザーターミナルと第２ユーザーターミナルとを含む多分割表示コンテンツの実施方法では、多分割表示コンテンツの作成方法が提供され、当該方法には、前記第１ユーザーターミナルが前記サーバに接続され、ユーザーインターフェースを介して多分割表示構成情報を送信するステップ（ａ）と、前記サーバが前記多分割表示構成情報を受信後に前記多分割表示構成情報を用いて多分割表示設定情報を作成・保管するステップ（ｂ）と、前記第２ユーザーターミナルが前記サーバに接続され、前記多分割表示設定情報に従って前記第２ユーザーターミナルを制御することで前記多分割表示コンテンツを再生する制御モジュールを受信して同モジュールをインストールし、前記サーバから送信される特定コンテンツの多分割表示設定情報を受信して前記多分割表示コンテンツを再生するステップ（ｃ）と、が含まれる。
【０００９】
上記目的を達成するため、ネットワークとサーバを介して接続される第１ユーザーターミナルと第２ユーザーターミナルとを含む多分割表示コンテンツの実施システムでは、多分割表示コンテンツの実施システムが提供され、当該システムには、前記サーバに接続され、前記サーバから提供されるユーザーインターフェースを介して多分割表示構成情報を送信し、さらに多分割表示コンテンツの構成が要求される第１ユーザーターミナルと、ユーザーインターフェースが前記第１ユーザーターミナルに設けられ、前記ユーザーインターフェースを介して送信される多分割表示構成情報を受信することで多分割表示設定情報を形成し、データベースを作成し、前記第２ユーザーターミナルの要求に従って前記多分割表示設定情報に基づき前記第２ユーザーターミナルを制御することで前記多分割表示コンテンツを再生する制御モジュールを送信し、さらに前記データベースに保管された特定の多分割表示コンテンツの多分割表示設定情報を抽出して前記第２ユーザーターミナルに送信するサーバと、制御モジュールを前記サーバに要求して受信し、同モジュールをインストールし、前記サーバから送信される特定コンテンツの多分割表示設定情報を受信し、その受信した多分割表示設定情報に従って多分割表示を形成し、各分割表示で再生しようとするコンテンツを要求し、同コンテンツを受信して、その受信したコンテンツを各分割表示で再生する第２ユーザーターミナルと、が含まれる。
【発明の効果】
【００１０】
本発明に係る多分割表示コンテンツ及びそのシステムの作成方法によれば、ユーザーは専門的な技能や知識なしにＷｅｂで提供されているデータベース（ＤＢ）設計システムやユーザーインターフェースを用いてマルチメディア表示コンテンツを自由に作成・編集することができ、該作成された多分割表示コンテンツ内のデータ（コンテンツ）の部分的な変更、再作成、または表示構成の組み合わせ変更を行うことができるとともに新しい画像形式を表現することができ、前記多分割表示における特定の分割表示でＸＭＬと連携するオリジナルデータ（コンテンツ）がリアルタイムで変更される場合は、前記コンテンツの変更内容に応じて全体画像でＸＭＬと連携する分割表示を自動的に変更することができる。
【図面の簡単な説明】
【００１１】
【図１】本発明の好適な実施形態に係る多分割表示コンテンツを実施するシステムの概略図
【図２】本発明の好適な実施形態に係るユーザーインターフェースを説明するブロック図
【図３】本発明の好適な実施形態に係る制御モジュールのブロック図
【図４】本発明の好適な実施形態に係る多分割表示コンテンツを実施する方法のフローチャート
【図５】本発明の好適な実施形態に係る多分割表示構成情報入力工程のフローチャート
【図６】多分割表示コンテンツを本発明の好適な実施形態に係る第２ユーザーターミナルで作成する工程のフローチャート
【図７】好適な実施形態に係る多分割表示コンテンツの作成方法で製造する多分割表示コンテンツの実施例を示す図
【図８】好適な実施形態に係る多分割表示コンテンツの作成方法で製造する多分割表示コンテンツの実施例を示す図
【図９】好適な実施形態に係る多分割表示コンテンツの作成方法で製造する多分割表示コンテンツの実施例を示す図
【発明を実施するための形態】
【００１２】
ネットワークとサーバを介して接続される第１ユーザーターミナルと第２ユーザーターミナルとを含む前記多分割表示コンテンツの実施方法では、多分割表示コンテンツの作成方法が提供され、当該方法には、前記第１ユーザーターミナルが前記サーバに接続され、ユーザーインターフェースを介して多分割表示構成情報を送信するステップ（ａ）と、前記サーバが前記多分割表示構成情報を受信後に前記多分割表示構成情報を用いて多分割表示設定情報を作成・保管するステップ（ｂ）と、前記第２ユーザーターミナルが前記サーバに接続され、前記多分割表示設定情報に従って前記第２ユーザーターミナルを制御することで前記多分割表示コンテンツを再生する制御モジュールを受信して同モジュールをインストールし、前記サーバから送信される特定コンテンツの多分割表示設定情報を受信して前記多分割表示コンテンツを再生するステップ（ｃ）と、からなる。
【００１３】
ネットワークとサーバを介して接続される第１ユーザーターミナルと第２ユーザーターミナルとを含む前記多分割表示コンテンツの実施システムでは、多分割表示コンテンツの実施システムが提供され、当該システムは、前記サーバに接続され、前記サーバから提供されるユーザーインターフェースを介して多分割表示構成情報を送信し、さらに多分割表示コンテンツの構成が要求される第１ユーザーターミナルと、ユーザーインターフェースが前記第１ユーザーターミナルに設けられ、前記ユーザーインターフェースを介して送信される多分割表示構成情報を受信することで多分割表示設定情報を形成し、データベースを作成し、前記第２ユーザーターミナルの要求に従って前記多分割表示設定情報に基づき前記第２ユーザーターミナルを制御することで前記多分割表示コンテンツを再生する制御モジュールを送信し、さらに前記データベースに保管された特定の多分割表示コンテンツの多分割表示設定情報を抽出して前記第２ユーザーターミナルに送信するサーバと、制御モジュールを前記サーバに要求して受信し、同モジュールをインストールし、前記サーバから送信される特定コンテンツの多分割表示設定情報を受信し、その受信した多分割表示設定情報に従って多分割表示を形成し、各分割表示で再生しようとするコンテンツを要求し、同コンテンツを受信して、その受信したコンテンツを各分割表示で再生する第２ユーザーターミナルと、からなる。
【００１４】
以下、本発明に係る多分割表示コンテンツ及びそのシステムの作成方法を添付図面を参照して説明する。
【００１５】
図１は本発明の好適な実施形態に係る多分割表示コンテンツを実施するシステムの概略図である。
【００１６】
まず、本発明の好適な実施形態に係る多分割表示コンテンツの実施方法を添付図面を参照して詳細に説明する。
【００１７】
図１に示したように、本発明の好適な実施形態に係る多分割表示コンテンツの実施方法には、第１ユーザーターミナル１００、サーバ１２０、及び第２ユーザーターミナル１３０が含まれる。
【００１８】
ここで、前記第１ユーザーターミナル１００は、パーソナルコンピュータ、パームコンピュータ、ＰＤＡ（携帯情報端末）、または多分割表示コンテンツを前記サーバ１２０に要求するユーザーが使用する機器などの個人情報通信装置を表し、前記第２ユーザーターミナル１３０は、パーソナルコンピュータ、パームコンピュータ、ＰＤＡ（携帯情報端末）、または制御モジュール１２４と特定の多分割表示コンテンツ設定情報とを前記サーバ１２０から受信することで特定の多分割表示コンテンツを再生できる同種のもの、及び、ネットワーク１１０を介してデータ-通信を行えるＩＰテレビなどの家電製品などの個人情報通信装置を表す。ここで、前記第１及び第２ユーザーターミナル１００及び１３０には、入出力部（図示せず）などの通常の個人情報通信装置に設けられる素子と、表示部（図示せず）と、音声部（図示せず）と、主制御部（図示せず）と、通信部（図示せず）と、保管部（図示せず）または同種のものと、が含まれる。上記素子は当分野で公知であるので、その説明を省略する。
【００１９】
前記サーバ１２０は、ネットワーク１１０を介して接続される前記第１及び第２ユーザーターミナル１００及び１３０にＷｅｂページを提供し、本発明に係る多分割表示コンテンツの実施方法を使用する目的で設計されており、通常、主制御部（図示せず）と、通信部（図示せず）と、表示部（図示せず）と、入出力部（図示せず）、保管部（図示せず）と従来のＷｅｂサーバに設けられる前記素子と同種のものと、からなる。
【００２０】
図４は本発明の好適な実施形態に係る多分割表示コンテンツを実施する方法のフローチャートである。以下、本発明に係る多分割表示コンテンツの実施工程を添付図面を参照して説明する。
【００２１】
まず、本発明に係る多分割表示の実施方法では、ユーザーが全体表示の形式に対応する値を指定すると（分割表示の場合では分割表示の数と形式に対応する値）、各表示の再生時間、各分割表示に入力されるコンテンツの形式、各分割表示ごとの特定日、スケジュール情報及びコンテンツを設定するコンテンツ名は、前記サーバ１２０から提供されるユーザーインターフェース１２２を用いてデータまたは時間及び各コンテンツの保管パスに応じて表示される。つまり、全体表示が形成され、前記コンテンツ形式ベースのプレーヤーが各分割表示で指定され、前記コンテンツはデータベース（ＤＢ）設計アルゴリズムによって１つの多分割表示設定情報に再合成される（以下、それをＸＭＬ-ベースのデータベース（ＤＢ）設計アルゴリズムに応じて構成される実施形態に基づいて説明するが、それに限定されるものではない）ので、所望の多分割表示が実施される。
【００２２】
すなわち、前記サーバ１２０はユーザーが専用の多分割表示を構成できるように予め設定され、前記第１ユーザーターミナル１００はユーザーの操作に応じて基本的なＷｅｂブラウザに基づきネットワーク１１０を介して前記サーバ１２０とデータ通信を行うことで多分割表示を形成する。
【００２３】
前記多分割表示設定情報は、前記第２ユーザーターミナル１３０が前記多分割表示コンテンツを再生する際に使用される。すなわち、前記第２ユーザーターミナル１３０は前記サーバ１２０から特定の多分割表示設定情報をダウンロードし、前記制御モジュール１２４を用いて前記多分割表示設定情報を翻訳し、前記第２ユーザーターミナル１３０における多分割表示を再構成し、前記多重多分割表示のコンテンツ（多分割表示設定情報を含む）を前記保管パスから受信し、それをリアルタイムのストリーミング形式で配信するか、または、同コンテンツをダウンロードして前記第２ユーザーターミナルに保管し、前記第２ユーザーターミナル１３０はその保管されたコンテンツを受信し、各コンテンツを対応する分割表示で再生する。
【００２４】
前記第１ユーザーターミナル１００のユーザーが設定した同複数の分割表示を、前記ターミナル１１０を介して接続される全部の前記第２ユーザーターミナル１３０に表示することもでき、その表示コンテンツの組み合わせに応じて、無限数のさまざまな情報を処理することもできる。
【００２５】
前記第２ユーザーターミナル１３０で前記ネットワーク１１０を介して前記データの保管場所からデータを受信して同データを合成することで多分割表示を実施するためには、前記第１ユーザーターミナル１００のユーザーによって入力された多分割表示の構成形式、各表示部に表示されるコンテンツ、前記コンテンツの保管パス、及び毎回の再生時間に対応する値を設定し、さらにそれらの値を統合して保管することが必要であり、上記の値を翻訳する特定の方法も必要である。
【００２６】
以下、前記多分割表示コンテンツの実施工程を詳細に説明する。まず、ステップ４００にて、ユーザーが前記第１ユーザーターミナル１００を用いて前記サーバ１２０への接続を要求すると、ステップ４０２にて前記サーバ１２０はユーザー検証を行い、ユーザー検証が正常に終了すると、ステップ４０４にて、前記ユーザーインターフェース１２２は前記第１ユーザーターミナル１００に提供される。この時点で、前記ユーザーインターフェース１２２はいくつかの必要情報、すなわち表示構成情報、各表示部で再生される各コンテンツのコンテンツ情報、各コンテンツの再生時間設定情報、メインコンテンツ指定情報、表示変換情報、基本的なプレーヤー設定情報、スケジュール編集情報または同種のものから構成される。
【００２７】
ステップ４０６にて、ユーザーは、前記第１ユーザーターミナル１００に表示される前記ユーザーインターフェース１２２を用いて前記多分割表示構成情報を入力する。以下、前記多分割表示構成情報の入力工程と送信工程を図５を参照して説明する。
【００２８】
ステップ４１０にて、前記サーバ１２０は、多分割表示構成情報を前記第１ユーザーターミナルから受信し、ユーザーが指定した全部の値をＸＭＬデータに統合し、多分割表示設定情報として前記多分割表示設定の情報データベース１２８に保管する。
【００２９】
加えて、前記サーバ１２０は、前記第２ユーザーターミナル１３０の多分割表示のコンテンツ再生表示をさらに分割することで前記即時コンテンツを表示する表示部を一時的に作成する前記多分割表示設定情報で即時コンテンツ表示情報をさらに提供することもできる。
【００３０】
ここで、前記即時コンテンツ表示情報は、即時コンテンツが前記第２ユーザーターミナル１３０に送信されると前記第２ユーザーターミナル１３０の多分割表示コンテンツ再生表示部の特定の位置で前記即時コンテンツを表示する時間ウィンドウを一時的に作成する情報（ＩＤまたはＩＰアドレスで指定されている）を意味し、前記時間ウィンドウのサイズ、位置及び作成時間を前記即時コンテンツ表示情報に含むこともできる。
【００３１】
次に、ステップ４２０にて、前記第２ユーザーターミナル１３０を動作させて別のユーザーが前記サーバ１２０に接続されると、ステップ４２２にて前記サーバ１２０はユーザー検証を行い、その検証が正常に終了すると、ステップ４２４にて、前記制御モジュール１２４は前記第２ユーザーターミナル１３０に送信される。この時点で、前記第２ユーザーターミナル１３０からの制御モジュール１２４は、前記第２ユーザーターミナル１３０にインストールされてモジュールとして動作し、前記サーバ１２０からの前記多分割表示設定情報を翻訳し、多分割表示設定情報に応じて前記第２ユーザーターミナル１３０を制御する。
【００３２】
すなわち、本発明に適するように構成されたサーバに基づいた前記多重プレーヤーアルゴリズムの特徴で、１つの表示が少なくとも２つの表示に分割され、スケジュールが各表示に提供され、それによって前記従来の単一プレーヤーとは異なり、そのデータを駆動する独立したプレーヤーを複数個必要とし、各表示部で実施されるデータ形式（動画、静止画、テキスト）、再生時間、及びコンテンツを受信するパスが異なることもあるので、各プレーヤーを独立して再生させる必要があり、すべての分割した表示は、１つのモジュールを用いて１つの多分割した表示として所望の組み合わせで再生される必要がある。上記モジュールは制御モジュール１２４であり、前記第２ユーザーターミナル１３０の場合、前記制御モジュール１２４が予めインストールされているので、さらにインストールする必要がない。
【００３３】
ステップ４４０にて、前記制御モジュール１２４がインストールされると前記サーバ１２０は特定の多分割表示コンテンツの多分割表示設定情報を前記第２ユーザーターミナル１３０に送信し、前記第２ユーザーターミナル１３０は同情報を受信して前記多分割表示設定情報を翻訳する。
【００３４】
ステップ４４２にて、前記第２ユーザーターミナル１３０は、前記サーバ１２０からの前記多分割表示設定情報を翻訳し、多分割表示設定情報に応じて多分割表示を形成して、各多分割表示に提供しようとするコンテンツの形式（動画コンテンツ、静止画コンテンツ、テキストコンテンツまたは同種のもの）を認識し、さらに、形式に対応する依存型プレーヤーをロードする。この時点で、前記依存型プレーヤーは前記第２ユーザーターミナル１３０にインストールされたプレーヤーまたは前記サーバ１２０に保管された依存型プレーヤーを使用することもできる。
【００３５】
ステップ４４４及び４４６にて、前記第２ユーザーターミナル１３０は各多分割表示で指定されたコンテンツに関連するＸＭＬデータを読み取り、ネットワーク１１０を介して各コンテンツの保管場所を検索して前記コンテンツデータを要求して受信し、ステップ４４８にて、前記コンテンツは各プレーヤーにより再生される。
【００３６】
ステップ４５０にて、前記第２ユーザーターミナル１３０を前記サーバ１２０に接続した状態で、前記サーバ１２０が前記第１ユーザーから特定のインターネットアドレスを有する前記第２ユーザーターミナルへの前記即時コンテンツの送信要求データを受信すると、ステップ４５２にて、前記サーバ１２０はその受信した即時コンテンツ設定情報を翻訳し、即時コンテンツ表示情報と即時コンテンツを前記第２ユーザーターミナル１３０に送信し、ステップ４５４にて、前記第２ユーザーターミナル１３０は即時コンテンツ表示ウィンドウを前記多分割表示に作成し、その受信した即時コンテンツを表示する。
【００３７】
図５は本発明の好適な実施形態に係る多分割表示構成情報入力工程のフローチャートである。
【００３８】
前記第１ユーザーターミナル１００と前記サーバ１２０間の多分割表示構成情報入力工程と保管工程とを添付図面を参照して説明する。
【００３９】
まず、ステップ５００にて、ユーザーが前記ユーザーインターフェース１２２を介して表示構成情報を入力し、複数の分割表示を構成して１つの表示を複数の分割表示を再生する少なくとも２つの表示に分割する。この時点で、前記分割した表示はユーザーが指定したコンテンツを再生する再生ウィンドウとしての役割を果たす。
【００４０】
前記表示の分割は視覚的に行うことも論理的に行うこともできる。すなわち、各表示を独立して分割すること（視覚的な分割）が可能であり、各表示の一部または全部をオーバーラップさせるような方式で分割すること（論理的な分割層構成）も可能である。
【００４１】
以下、前記表示構成情報を用いて複数の分割表示を構成する工程を詳細に説明する。
【００４２】
ユーザーによって前記ユーザーインターフェース１２２を介して入力された前記表示構成情報には、表示の数に関連する空間設定値と、表示サイズと、分割しようとする主表示の位置と、主表示のコンテンツ再生時間設定の時間ベース設定値と、表示の変換効果と、が含まれる。
【００４３】
前記入力された表示構成情報における空間設定値は分割しようとする表示レイアウトを設定するために使用され、１つの表示が次の表示に変更される際に前記時間ベースの設定値は前記表示の負の座標と正の座標を使用し、前記表示の変換効果（例えば、スライド効果、フェード効果または同種のもの）を作成するために使用される。
【００４４】
分割しようとする表示に関連する前記空間設定値と前記時間ベースの設定値との組み合わせで１つの表示が次の表示に変更されると、前記分割した表示の移動、拡大、縮小、変換及び合成などの種々の表示変換効果を実施することが可能である。
【００４５】
前記表示構成情報入力工程では、特定のユーザーインターフェースが主表示の指定、主表示の再生時間設定、及び表示変換効果の設定に使用される。
【００４６】
前記複数の分割表示の構成が表示構成情報を入力することで終了すると、ステップ５０２にて、ユーザーは各分割表示で再生される保管パス、コンテンツ名及び形式などのコンテンツ情報を設定する。この時点で、ユーザーが使用しようとするコンテンツは前記第１ユーザーターミナル１００または前記サーバ１２０または外部コンテンツ提供サーバ１４０に保管され、ユーザーは通常、前記コンテンツを保管する場所のＵＲＬアドレスを前記コンテンツの保管パスとして入力するとともに、コンテンツ、動画、静止画またはテキストのファイル名のうちの１つを前記コンテンツの形式として指定する。
【００４７】
前記コンテンツ情報の入力が終了すると、ステップ５０４にて、ユーザーは各分割表示で再生される前記コンテンツの再生時間を設定し、ステップ５０６にて、前記プレーヤーが各分割表示部で設定される。ここで、各表示で使用されるプレーヤーは依存型プレーヤーと呼ばれ、前記依存型プレーヤーは前記第２ユーザーターミナル１３０に基本的にインストールされたプレーヤーを使用することも、前記ブラウザ上で前記サーバ１２０に保管された前記依存型プレーヤーをロードして使用することもできる。
【００４８】
加えて、ユーザーは、各分割表示部で再生される前記コンテンツのうちからメインコンテンツを指定し、ステップ４０８にて、前記メインコンテンツの水平垂直比を維持するように各多分割表示のアスペクト比を自動的に調整することができ、前記メインコンテンツを表示する前記多分割表示の水平垂直比が前記メインコンテンツのファイル情報の分析結果により差異が確認されると、前記サーバ１２０は特定のアルゴリズムに応じてユーザーが設定した前記複数の分割表示の構成をリセットするので、前記メインコンテンツを再生する前記分割表示の水平垂直比を前記メインコンテンツの水平垂直比に一致させることができるようになっている。
【００４９】
前記基本的情報の入力が終了すると、ステップ５１０にて、前記分割表示で再生される表示構成変換または前記コンテンツ変換が設定される。例えば、前記主表示（メインコンテンツを表示する分割表示）と補助表示（前記メインコンテンツ以外のコンテンツを表示する分割表示）との再生時間を比較して前記主表示の再生時間が前記補助表示の再生時間よりも長いと、前記補助表示の変換はループ法で設定され、前記主表示の再生時間中に前記補助表示のコンテンツは繰り返し行われ、前記補助表示の変換が前記ループ法で設定されない場合、前記補助のコンテンツ再生が終了後に前記主表示を前記補助表示の領域に拡張させることが可能である。加えて、前記主表示の再生時間が前記補助表示の再生時間よりも短いと、前記補助表示の変換は停止法で設定され、前記主表示の再生が終了次第、前記補助表示の再生も同様に終了し、前記補助表示の再生の変換が停止法で設定されない場合、前記主表示の再生が終了後、前記補助表示は前記主表示の領域に拡張し、それによって前記補助表示を再生する。上記実施例は例示目的のみで提供されていることは、当業者であれば明らかであろうし、前記変換設定は当分野で公知のさまざまな設定条件を用いて構成することもできる。
【００５０】
１つの多分割表示コンテンツが上記工程を介して終了した時点で、ユーザーは１つのプレビュー機能を介して作成された多分割表示コンテンツを点検確認し、そのコンテンツをステップ５１２及び５１４にて保管する。
【００５１】
ユーザーが追加表示を設定しようとする場合には、前記ステップ５００〜５１４を繰り返し行うことができるので、ステップ５１６にて所望数の表示を設定することができる。
【００５２】
ステップ４１８にて、ユーザーは基本的な表示（初期に作成した多分割表示コンテンツ）を用いてスケジュールと、追加表示（前記基本的な表示を変更することで作成した多分割表示コンテンツ）と、を設定する。
【００５３】
ここで、前記スケジュール設定工程とは、前記サーバ１２０からのユーザーインターフェース１２２を用いて少なくとも１つの追加表示（多分割表示を含む）を作成することで前記表示の数や形式が順次に配設される表示レイアウトを編集して、特定の日付や日時に応じて各分割表示部を表示するコンテンツ指定工程を意味し、その指定コンテンツは前記第２ユーザーターミナル１３０に移動される。
【００５４】
つまり、前記分割表示で表現されるコンテンツは時間の経過とともに前記設定スケジュールに応じて変化するので、前記第２ユーザーターミナル１３０では同一のレイアウトでさえも種々のコンテンツで表現することができる。
【００５５】
すなわち、前記スケジュール設定により、ユーザーは特定の日付や日時に関連する特定コンテンツを指定することで前記第２ユーザーターミナル１３０に表示される前記コンテンツを自由に操作できる。
【００５６】
図７〜図９に示したように、前記スケジュール設定について説明する。図７は従来から使用されている単独表示コンテンツの構成を示す図であり、該図中には、コンテンツを表示する表示部７００と、前記表示部に表示されている動画７０２と、が示されており、図８は、１つの表示を４つの表示に分割することでさまざまなコンテンツを表現する基本的な表示部を示す図である。すなわち、前記多分割表示コンテンツは、動画コンテンツ７０２、広告コンテンツ（１）７０４、広告コンテンツ（２）７０８、及びニュースコンテンツ７０６を表示できることが示されている。
【００５７】
図９は、在庫情報コンテンツ７１０と時間情報コンテンツ７１２とを図８の基本的な表示に基づいて表示できるように、前記分割表示の数とそのコンテンツとをさらに変更した追加多分割表示コンテンツを示す図である。すなわち、ユーザーは第１ステップとして、本発明の多分割表示コンテンツの実施方法を用いて特定の日付パスと時間パスに応じてその表示レイアウトの形式に関連する３種類の図（図７〜図９）を連続的に設定する。第２ステップでは、前記３つの分割表示のうちの各分割表示で、各特定の日付と時間ごとに前記コンテンツを設定するスケジュールが計画され、前記第２ユーザーターミナルに移動される。
【００５８】
上記工程を介して、ユーザーは、図７〜図９の表示レイアウトを繰り返して循環させるように基本的レイアウトを設定し、特定コンテンツスケジュールを月曜日から金曜日の各表示部７０２、７０４、７０６、７０８、７１０及び７１２ごとに設定し、そのスケジュールを他のコンテンツが土曜日から金曜日に各表示部７０２、７０４、７０６、７０８、７１０及び７１２に表示されるように設定すると、その表示レイアウトは同じであるが、他のコンテンツ表示が曜日に応じて異なるように表示することができる。
【００５９】
上記設定条件では、当業者であれば公知のさまざまな設定条件を使用することもできる。
【００６０】
前記スケジュール設定が終了すると、前記サーバ１２０は前記第１ユーザーターミナル１００から受信ターミナルの多分割表示構成情報を用いて複数の分割表示を構成して前記スケジュールを設定し、表示しようとするコンテンツが設定されると、ステップ５２０にて、ユーザーが設定したすべての値は１つの多分割表示設定情報として作成され、前記多分割表示設定の情報データベース１２８に保管される。
【００６１】
図６は多分割表示コンテンツを本発明の好適な実施形態に係る第２ユーザーターミナルで作成する工程のフローチャートである。以下、前記多分割表示コンテンツが前記第２ユーザーターミナルで再生される工程を説明する。
【００６２】
まず、ステップＳ６００にて、前記第２ユーザーターミナル１３０が前記サーバ１２０に接続されると、前記第２ユーザーターミナル１３０は前記制御モジュール１２４のインストールの判断を行い、前記制御モジュール１２４がインストールされていないと、ステップＳ６０２にて、制御モジュールを前記サーバ１２０に要求して受信し、前記制御モジュール１２４はステップＳ６０６にてインストールされる。
【００６３】
前記制御モジュール１２４のインストールが完了しているか、または前記制御モジュールがインストールされていると、前記第２ユーザーターミナルは前記サーバ１２０から特定の多分割表示コンテンツの多分割表示設定情報を受信する。
【００６４】
前記第２ユーザーターミナル１３０は前記制御モジュール１２４の制御に従ってその受信した多分割表示設定情報を翻訳し、ステップＳ６１０にて、前記複数の分割表示コンテンツが多分割表示設定情報に応じて再生される１つの表示は分割され、それによって多分割表示を形成する。次に、ステップ６１２にて、前記第２ユーザーターミナルは、各分割表示で使用され、各分割表示に配信されるプレーヤー設定に従って対応するプレーヤーをロードする。ここで、前記ロードされたプレーヤーは、前記第２ユーザーターミナル１３０で基本的に設定されるプレーヤーであってもよく、前記サーバ１２０に保管されて一時的に前記第２ユーザーターミナル１３０のＷｅｂブラウザにロードされるプレーヤーであってもよい。
【００６５】
ステップ６１４にて、前記第２ユーザーターミナル１３０は各分割表示に指定されるコンテンツに関連するＸＭＬデータを読み取り、ネットワーク１１０を介して各コンテンツの保管場所を検索し、さらにコンテンツデータを要求して同データを受信し、ステップ６１６にて、前記多分割表示コンテンツは、各分割表示に指定されたプレーヤーを用いて前記コンテンツを表示することで再生される。
【００６６】
前記多分割表示コンテンツの再生中、前記第２ユーザーターミナル１３０は多分割表示設定情報に基づいて前記コンテンツの再生時間の有無を判断し、ユーザーの設定に基づいて表示構成変換の有無を判断するか、または前記分割表示で再生されるコンテンツ変換設定を判断し、変換設定があると、ステップＳ６１８にて、その変換設定が満足されているかどうかを判断するので、ステップＳ６２０にて、前記表示構成は変更されるか、または再生しようとするコンテンツが変換され、再生しようとするコンテンツ自体が変更されると、新たに指定されたコンテンツに関連するＸＭＬデータが読み取られ、ネットワーク１１０を介して各コンテンツの保管場所が検索され、前記コンテンツデータが要求され、さらに前記コンテンツが再生される。
【００６７】
前記多分割表示コンテンツの再生中、ステップ６２２にて、前記第２ユーザーターミナル１３０が即時コンテンツを前記サーバ１２０から受信すると、ステップ６２４にて、即時コンテンツ表示ウィンドウが前記多分割表示コンテンツを表示する多分割表示で作成され、その受信した即時コンテンツはステップ６２６にて表示される。
【００６８】
最後に前記第２ユーザーターミナル１３０は再生完了状態を判断し、再生が完了すると、そのルーチンは停止され、前記再生が完了していないと、ステップ６２８にて、前記ステップＳ６１６〜Ｓ６２６が繰り返し行われる。
【００６９】
図２は本発明の好適な実施形態に係るユーザーインターフェースを説明するブロック図であり、図３は本発明の好適な実施形態に係る制御モジュールのブロック図である。以下、多分割表示の実施方法を行う多分割表示の実施システムを図１、図２及び図３を参照して詳細に説明する。
【００７０】
図１に示したように、本発明の好適な実施形態に係る多分割表示の実施システムは、第１ユーザーターミナル１００、ネットワーク１１０、サーバ１２０、第２ユーザーターミナル１３０及び外部コンテンツ提供サーバ１４０からなる。
【００７１】
前記ネットワーク１１０は、前記第１ユーザーターミナル１００、前記ネットワーク１１０、前記サーバ１２０、前記第２ユーザーターミナル１３０及び前記外部コンテンツ提供サーバ１４０間のデータ通信パスとして使用され、有線または無線インターネットネットワークのいずれでも構成することができる。
【００７２】
前記第１ユーザーターミナル１００は前記サーバから提供される前記ユーザーインターフェース１２２を介して多分割表示構成情報（表示構成情報、再生時間設定情報、各表示部で再生される各コンテンツのコンテンツ情報、表示変換情報、基本的なプレーヤー設定情報、及びスケジュール編集情報）を送信し、前記多分割表示の構成コンテンツを要求する。
【００７３】
特に前記表示構成情報には、前記表示レイアウトを設定するために分割しようとする表示の数に対応する表示部を表示かつ制御する表示に関連する空間設定値と、表示サイズと、前記表示の位置情報と、主表示のコンテンツ再生時間設定に対応する時間ベースの設定値と、さらに、表示変換効果または同種のものと、が含まれる。
【００７４】
ここで、分割しようとする表示に関連する前記空間設定値には、分割しようとする少なくとも１つの表示（または層表示）に関連する拡大、縮小、移動、分離、変換または表示相互間の合成のうちの少なくとも１つを含む位置値がさらに含まれ、分割しようとする表示に関連する時間ベースの設定値には、年月日または時間に応じて少なくともつの表示部に表示しようとするテキスト、静止画及び動画などの前記コンテンツの形式に応じた前記コンテンツの表示時間値のうちの少なくとも１つを含む時間値と、年月日または時間に応じて表示しようとするコンテンツの表示変換時間値と、がさらに含まれる。
【００７５】
前記サーバ１２０は、ユーザーインターフェースを前記第１ユーザーターミナル１００に提供し、前記ユーザーインターフェースを介して送信される多分割表示構成情報１２２受信し、それによって前記データベース１２８内に多分割表示設定情報を形成し、前記サーバ１２０は、前記第２ユーザーターミナル１３０の要求に応じて制御モジュール（多分割表示設定情報に従って前記第２ユーザーターミナル１３０を制御することで前記多分割表示コンテンツを再生するモジュールを意味する）を送信し、さらに 前記サーバ１２０は、前記データベース１２８に保管された前記多分割表示コンテンツの多分割表示設定情報のうちから特定の多分割表示コンテンツの多分割表示設定情報を抽出し、それを前記第２ユーザーターミナル１３０に送信する。
【００７６】
この時点で、前記サーバ１２０から前記第１ユーザーターミナル１００に提供された前記ユーザーインターフェース１２２には、１つの表示を少なくとも２つの前記多分割表示コンテンツを再生する表示に分割することで多分割表示を形成する表示構成インターフェース２００と、各分割表示で再生しようとするコンテンツの保管パスを設定するコンテンツ設定インターフェース２０２と、コンテンツ名及びその形式と、各分割表示で表示しようとするコンテンツの再生時間を設定する再生時間インターフェースと、各分割表示で使用しようとするプレーヤーを設定するプレーヤー設定インターフェース２０６と、が含まれる。
【００７７】
本発明のさらに好適な実施形態では、前記ユーザーインターフェース１２２は、各分割表示で再生しようとするコンテンツのうちからメインコンテンツを指定し、前記メインコンテンツの水平垂直比が維持されるように前記多分割表示の分割比を調整するメインコンテンツ指定インターフェース２０８と、分割表示で再生しようとする表示構成変換またはコンテンツ変換を再生時間またはユーザー設定の変更に従って設定する変換設定インターフェース２１０と、新規作成または保管されている多分割表示構成情報を変更することで作成された少なくとも１つの多分割表示構成情報における日付、日時などのユーザー指定条件に応じて特定の多分割表示構成情報を抽出し、それを前記第２ユーザーターミナル１３０に送信するスケジュール設定インターフェース２１２と、をさらに含む。
【００７８】
本発明に係るサーバ１２０には、前記第２ユーザーターミナル１３０の多分割表示コンテンツ再生表示部をさらに分割することで即時コンテンツを表示する表示部を一時的に作成する即時コンテンツ設定インターフェース２１４がさらに含まれ、前記サーバ１２０は、即時コンテンツ表示情報と多分割表示設定情報とを作成し、特定のインターネットアドレスを有する前記第２ユーザーターミナル１３０に送信を要求する即時コンテンツを受信することで前記即時コンテンツを前記第２ユーザーターミナル１３０に送信する。
【００７９】
前記第２ユーザーターミナル１３０は前記サーバ１２０に対して制御モジュール１２４を要求し、受信して同モジュールをインストールし、前記第２ユーザーターミナル１３０は前記サーバ１２０から特定コンテンツの多分割表示設定情報を受信し、その受信した多分割表示設定情報に応じて多分割表示を形成し、さらに各分割表示で再生しようとするコンテンツを要求するので、その受信したコンテンツを各分割表示で表示できるようになっている。
【００８０】
前記サーバ１２０から前記第２ユーザーターミナル１３０に提供される前記制御モジュール１２４は、多分割表示設定情報に応じて多分割表示コンテンツを再生する１つの表示を分割することで多分割表示を形成する表示構成モジュール３００と、各分割表示で表示しようとするコンテンツの保管パス、コンテンツ名及び形式を参照し、対応するコンテンツデータを前記表示されたコンテンツの保管場所に要求して、同データを受信する通信制御モジュール３０２と、各分割表示に使用されたプレーヤー設定に応じてプレーヤーをロードし、前記ロードされたプレーヤーを各分割表示にそれぞれ割り当て、各分割表示で設定される再生時間に従って、前記割り当てられたプレーヤーを用いて前記通信制御モジュール３０２から出力される各コンテンツデータを再生する再生コントロールモジュール３０４と、多分割表示設定情報に応じて前記コンテンツの再生時間の有無を判断する変換制御モジュール３０８と、各分割表示で表示しようとするユーザーの設定またはコンテンツ変換設定に応じて、変換設定があると、前記変換設定条件の満足度を判断し、前記表示構成または再生しようとするコンテンツを変換する表示構成変換と、前記通信制御モジュール３０４に従って特定の日付、日時値との関係で、スケジュールに基づき前記表示構成モジュールによって作成された前記表示の各分割表示で表示しようとするコンテンツの送信を制御するモジュール３０８と、からなる。
【００８１】
本発明に係る制御モジュール１２４は、即時コンテンツを前記サーバ１２０から受信すると前記多分割表示コンテンツをさらに分割し、前記即時コンテンツを表示する表示部を一時的に作成し、その受信した即時コンテンツを表示する。
【００８２】
上記のように、本発明に係る多分割表示コンテンツ及びそのシステムの作成方法では、多分割表示の実施システムはＷｅｂサイトで構築されるので、ユーザーが製造、提供することができるようになっている。つまり、前記コンテンツはオンラインで通信できる。
【００８３】
本発明に係る多分割表示コンテンツ及びそのシステムの作成方法では、広告システムで表示装置を公共の場所にインストールすることでメインコンテンツと広告とを合成したり、本発明を公官庁や企業での業務放送システムやパーソナル放送局の構築に利用することもできる。
【００８４】
本発明は、その真の趣旨または本質的特長から逸脱することなく種々の形態で例示することができることから、上記のように実施例を詳述したが、特に指定がない限り、それらに限定されるものでないことを理解すべきであり、むしろ、それらは添付の特許請求の範囲で定義される本発明の真の趣旨と範囲内に含まれるものと広義に解釈されるべきであることから、請求項の意図及び範囲内のすべての変更形態、またはかかる意図及び範囲に属する同等の変更は許請求の範囲に包含されるものとする。
【００８５】
本発明に係る多分割表示コンテンツ及びそのシステムの作成方法によれば、ユーザーは専門的な技能や知識なしにＷｅｂで提供されているデータベース（ＤＢ）設計システムやユーザーインターフェースを用いてマルチメディア表示コンテンツを自由に作成・編集することができ、該作成された多分割表示コンテンツ内のデータ（コンテンツ）の部分的な変更、再作成、または表示構成の組み合わせ変更を行うことができるとともに新しい画像形式を表現することができ、前記多分割表示における特定の分割表示でＸＭＬと連携するオリジナルデータ（コンテンツ）がリアルタイムで変更される場合は、前記コンテンツの変更内容に応じて全体画像でＸＭＬと連携する分割表示を自動的に変更することができる。
【図１】
2010521863.tif 000003
【図２】
2010521863.tif 000004
【図３】
2010521863.tif 000005
【図４】
2010521863.tif 000006
【図５】
2010521863.tif 000007
【図６】
2010521863.tif 000008
【図７】
2010521863.tif 000009
【図８】
2010521863.tif 000010
【図９】
2010521863.tif 000011
【国際調査報告】
2010521863.tif 000012
2010521863.tif 000013